(57)【要約】【課題】シンプルな構造で、組立および施工が容易であり、騒音を低減できる風量調整ユニットを提供する。【解決手段】風量調整ユニット１０は、空調用ダクトに接続され内部に流路を形成する円筒状のケーシング１１と、前記流路を開閉するためケーシング１１内に設けられた開閉羽根１４と、消音手段として、開閉羽根１４の外面（表裏両面）にそれぞれ付設された合成繊維製のフィルタ材からなる消音材２４と、を備えている。二枚の開閉羽根１４は略半円形の板状体であり、シャフト１３を中心に略円形を形成するように取り付けられている。また、ケーシング１１内を流れる空気流の風速を検出するプロペラ式の風速センサ１２と、開閉羽根１４を回転駆動する開閉装置１５と、を備えており、開閉羽根１４はシャフト１３を中心に回転することによってケーシング１１内の流路を開閉する。【選択図】図１
2007240065.tif 000002
【特許請求の範囲】
【請求項１】
空調用ダクトに接続され内部に流路を形成する筒状のケーシングと、前記流路を開閉するため前記ケーシング内に設けられた開閉羽根と、前記開閉羽根の外面の少なくとも一部に付設された通気性部材と、を備えたことを特徴とする風量調整ユニット。
【請求項２】
前記通気性部材の一部を前記開閉羽根の外周より突出させて付設した請求項１記載の風量調整ユニット。
【請求項３】
前記通気性部材として、合成繊維製のフィルタ材を用いた請求項１または２記載の風量調整ユニット。
【請求項４】
前記フィルタ材を構成する合成繊維の飛散防止手段を設けた請求項３記載の風量調整ユニット。
【発明の詳細な説明】
【技術分野】
【０００１】
本発明は、建築物の天井裏などに架設される空調用ダクトに介在して配置される風量調整ユニットに関する。
【背景技術】
【０００２】
空調用ダクト内を流れる空気流の風量を調整するために配置される風量調整ユニットは一般に鋼板で形成され、内蔵された開閉羽根には特に消音手段は講じられていないものが多い。このため、風量調整ユニットで発生する騒音（特に、開閉羽根部分で発生する風切り音）は、その下流に位置する室内吹出口を経由して室内へ伝播することが多かった。そこで、風量調整ユニットの下流側に、別途、消音器（消音ボックス）を設置することにより、風量調整ユニットで発生する騒音を吸収し、室内へ伝播するのを防止していた。
【０００３】
一方、消音器（消音ボックス）を使用せず、風量調整ユニット自体に消音機能を持たせたものがある（例えば、特許文献１参照。）。特許文献１記載の風量調整装置は、風路を横断して回動可能に設けられたダンパ板に、複数の開口を分散配置するとともに、ダンパ板の表面に消音材を付着させることにより、騒音（風切り音）の発生を抑制するものである。
【０００４】
【特許文献１】実開平４−１０３５５３号公報
【発明の開示】
【発明が解決しようとする課題】
【０００５】
消音手段として消音器（消音ボックス）を用いた場合、風量調整ユニット以外に当該消音器を設置しなければならないので、限られた領域内にその設置スペースを確保する必要があるだけでなく、施工の煩雑化の要因となっている。
【０００６】
特許文献１記載の風量調整装置の場合、複数の開口が分散配置されたダンパ板の表面に消音材を付着させた複雑な構造であるため、その組立工程においては多大な手間と時間を必要とし、組立の煩雑化を招いている。
【０００７】
本発明が解決しようとする課題は、シンプルな構造で、組立および施工が容易であり、騒音を低減できる風量調整ユニットを提供することにある。
【課題を解決するための手段】
【０００８】
本発明の風量調整ユニットは、空調用ダクトに接続され内部に流路を形成する筒状のケーシングと、前記流路を開閉するため前記ケーシング内に設けられた開閉羽根と、前記開閉羽根の外面の少なくとも一部に付設された通気性部材と、を備えたことを特徴とする。
【０００９】
このような構成とすれば、流路内を流れる気流により開閉羽根の端部付近で発生する比較的大きなカルマン渦は、開閉羽根に設けられた通気性部材によって拡散され、小さな渦となって、その勢いが減衰されるため、発生した騒音を低減することができる。また、開閉羽根の少なくとも一部に通気性部材を設けただけのシンプルな構造であるため、組立が容易であり、別途、消音器を設ける必要がないので、施工も容易である。
【００１０】
ここで、前記通気性部材の一部を前記開閉羽根の外周より突出させて付設することが望ましい。このような構成とすれば、特に比較的大きなカルマン渦が発生しやすい、開閉羽根の外周部分における騒音抑制作用が高まるため、騒音をさらに低減することができる。
【００１１】
この場合、前記通気性部材として、合成繊維製のフィルタ材を用いれば、当該フィルタ材が優れた気流拡散作用を発揮するため、騒音の低減に有効である。このようなフィルタ材としては、繊維を編まずに構成された通気性を有する不織布製のフィルタ材などが好適である。不織布製のフィルタ材は、その通気する部分が織布製のフィルタ材のように均一でなく、目の粗さも揃っていないため、気流拡散作用が良好である。なお、フィルタ材は難燃性または不燃性を有するものが好適である。
【００１２】
また、前記フィルタ材を構成する合成繊維の飛散防止手段を設ければ、フィルタ材の効果を維持しつつフィルタ材を構成する繊維が飛散するのを防止することができる。なお、飛散防止手段としては、フィルタ材よりも目が細かく、通気性を有する不織布によってフィルタ材の表面を被覆するなどの手段をとることができる。
【発明の効果】
【００１３】
本発明により、シンプルな構造で、組立および施工が容易であり、騒音を低減できる風量調整ユニットを提供することができる。
【発明を実施するための最良の形態】
【００１４】
以下、図面に基づいて、本発明の実施の形態について説明する。図１は本発明の実施の形態である風量調整ユニットを示す正面図、図２は図１に示す風量調整ユニットの側面図、図３は図１に示す風量調整ユニットを構成する開閉羽根を示す図である。
【００１５】
図１〜図３に示すように、本実施形態の風量調整ユニット１０は、空調用ダクト２２に接続され内部に流路を形成する円筒状のケーシング１１と、前記流路を開閉するためケーシング１１内に設けられた開閉羽根１４と、開閉羽根１４の外面（表裏両面）に付設された消音材２４と、を備えている。開閉羽根１４は一枚の略円形体からなり、その中心にシャフト１３が取り付けられている。また、ケーシング１１内を流れる空気流の風速を検出するプロペラ式の風速センサ１２と、開閉羽根１４を回転駆動する開閉装置１５と、を備え、開閉羽根１４は、シャフト１３を中心に回転することによってケーシング１１内の流路を開閉する。
【００１６】
風速センサ１２は、ケーシング１１の軸線方向の気流を受けて回転するプロペラ１７と、プロペラ１７より下流側においてプロペラ１７を回転自在に支えるセンサケーシング１８と、プロペラ１７の回転数を検出するためセンサケーシング１８内に設けられた非接触方式の検出部（図示せず）と、センサケーシング１８の上流側の先端部外周を囲繞する状態でプロペラ１７の回転中心に設けられたキャップ形状のハブ１９と、を備えている。センサケーシング１８の両側には、風速センサ１２をケーシング１１に固定するための取付具２０が装着されている。
【００１７】
ケーシング１１内を矢印方向に流れる空気流を受けてプロペラ１７が回転すると、センサケーシング１８内に配置された検出部が、プロペラ１７と連動して回転する磁石（図示せず）による磁界の変化を検出し、その検出信号を、配線２１を経由して開閉装置１５へ伝送する。開閉装置１５は、前記検出信号に基づいてシャフト１３を回転駆動し、これによってケーシング１１内の開閉羽根１４が開閉する。
【００１８】
本実施形態の風量調整ユニット１０においては、図３に示すように、消音手段として、開閉羽根１４の外面（表裏両面）に、気流拡散機能を有する消音材２４を付設している。このため、空調用ダクト２２内で発生する渦はケーシング１１内に進入して消音材２４によって拡散され、ある程度、整流される。特に、開閉羽根１４の外周部分で発生する比較的大きな渦（カルマン渦）は消音材２４を通過することにより小さな渦に拡散、減衰されるため、騒音を低減することができる。また、開閉羽根１４の外面に消音材２４を付設したシンプルな構造であるため、組立は容易であり、別途、消音器を設ける必要がないので、施工も容易である。
【００１９】
さらに、消音材２４の外周部２４ａは、開閉羽根１４の外周部１４ａより径方向に突出させて付設しているため、特に、比較的大きなカルマン渦が発生しやすい、開閉羽根１４の外周部分における騒音を効率良く低減することができる。本実施形態では消音材２４として、優れた気流拡散作用を有する合成繊維製不織布で構成された難燃性のフィルタ材を用いている。消音材２４を構成する不織布製のフィルタ材は、その通気する部分が織布製のフィルタ材のように均一でなく、目の粗さも揃っていないため、気流拡散作用が良好であり、騒音の低減に有効であるが、これに限定するものではない。また、開閉羽根１４の外面（表裏両面）に消音材２４を付設しているが、これに限定するものではない。
【００２０】
次に、図４，図５を参照して、消音手段に関するその他の実施形態について説明する。図４，図５は消音手段に関するその他の実施の形態を示す図である。なお、図４，図５にいて図１〜図３と同じ符号を付している部分は、前述した風量調整ユニット１０の構成部分と同じ機能、効果を有する部分であり、説明を省略する。
【００２１】
図４に示す実施形態においては、開閉羽根１４の外面に付設された消音材２４の外面を不織布２５で被覆している。このような構成とすれば、消音材２４を構成する合成繊維が流路内の流れる気流とともに飛散して、室内へ流入するのを防止することができる。
【００２２】
図５に示す実施形態においては、開閉羽根１４より少し大きな半月形状の消音材２６を二枚重ね合わせ、円弧状の外周部２６ａを固着して二つの袋状部材２６ｘを形成し、これらの袋状部材２６ｘの弦部２６ｂから二枚の消音材２６の間にそれぞれ開閉羽根１４を差し込んで固定することにより、消音材２６を開閉羽根１４の外面に付設している。このような構成とすれば、風量調整ユニットの組立工程を簡易化することができる。また、袋状部材２６ｘを開閉羽根１４に着脱することによって消音材２６のみの交換も可能となる。なお、袋状部材２６ｘを開閉羽根１４に固定する手段として、本実施形態ではエポキシ樹脂系の接着剤を用いているが、これに限定するものではない。
【産業上の利用可能性】
【００２３】
本発明の風量調整ユニットは、空調設備を構成する空調用ダクトなどの各種送風経路における風量制御手段として広く利用することができる。
【図面の簡単な説明】
【００２４】
【図１】本発明の実施の形態である風量調整ユニットを示す正面図である。
【図２】図１に示す風量調整ユニットの側面図である。
【図３】図１に示す風量調整ユニットを構成する開閉羽根を示す図である。
【図４】消音手段に関するその他の実施の形態を示す図である。
【図５】消音手段に関するその他の実施の形態を示す図である。
【符号の説明】
【００２５】
１０  風量調整ユニット
１１  ケーシング
１２  風速センサ
１３  シャフト
１４  開閉羽根
１４ａ，２４ａ，２６ａ  外周部
１５  開閉装置
１７  プロペラ
１８  センサケーシング
１９  ハブ
２０  取付具
２１  配線
２２  空調用ダクト
２４，２６  消音材
２５  不織布
２６ｂ  弦部
２６ｘ  袋状部材
【図１】
2007240065.tif 000003
【図２】
2007240065.tif 000004
【図３】
2007240065.tif 000005
【図４】
2007240065.tif 000006
【図５】
2007240065.tif 000007